(57)【特許請求の範囲】
【請求項１】
折り曲げ可能な包装材のブランク（１７，２２）から形成され、紙巻き煙草のグループ（３１）を収容するソフト・コップ型容器（１０）を備える紙巻き煙草用ソフトパックであって、
前記ソフト・コップ型容器（１０）は、上部が開いており、前部壁（１５）、後部壁（１６）、両側部壁（１８，１９）および底部壁（２０）を備えており、この開いた上部から紙巻煙草のグループ（３１）が突出し、
前記ブランク（１７，２２）は、前記ソフト・コップ型容器（１０）の材料補強部を形成する縁部ストリップ（３０）を備えており、下記の（a）〜（e）を特徴とする紙巻き煙草用ソフトパック。
（a）ソフト・コップ型容器（１０）の材料補強部が、底部壁（２０）の全体区域、前部壁（１５）の下部区域、後部壁（１６）の下部区域および両側部壁（１８，１９）の下部区域に形成され、
（b）該材料補強部は、前記縁部ストリップ（３０）を含む少なくとも２つの層から形成され、
（c）該材料補強部は、前記縁部ストリップ（３０）が折り曲げられることで形成され、
（d）部分的に重なる、底部壁（２０）を形成するすべての折り曲げタブ、すなわち、大きい面積の前部壁に連続して延在する台形の長手方向タブ（２３）と、同後部壁に連続して延在する台形の長手方向タブ（２４）と、幅の狭い両側部壁（１８，１９）の各々に連続して延在する角タブ（２５，２６）のそれぞれに前記縁部ストリップ（３０）が連続して延在し、
（e）折り曲げられた前記縁部ストリップ（３０）は、上記（d）のタブと重なるとともに底部壁（２０）を越える
【請求項２】
前記材料補強部とは別の材料補強部が、紙巻き煙草のグループ（３１）の上端周囲区域に重なるように、前記ブランク（１７）の上部に形成されることを特徴とする請求項１記載のパック。
【請求項３】
前記別の材料補強部が、前記ブランク（１７）の上部に形成されたＺ型折り曲げ部（３４）であることを特徴とする請求項２記載のパック。
【発明の詳細な説明】
【０００１】
【産業上の利用分野】
この発明は、紙巻き煙草用ソフトパック、特に、紙巻き煙草のグループを収容するための、折り曲げ可能な包装材のブランクから形成されるコップ型の容器を伴うソフト・コップ型パックに関する。
【０００２】
【従来の技術】
紙巻き煙草用ソフトパックは、主としてソフト・コップ型パックとして知られている。このタイプのパックでは、紙巻き煙草のグループが、錫箔製または紙製の内部ブランク内に完全に包み込まれる。こうして形成される紙巻き煙草のブロックが、上部が開いたコップ型容器内部に位置を占める。前記のコップ型容器は、従来より紙製であるが、場合に応じて箔、多重構造で構成することも可能である。
【０００３】
このタイプのソフトパック、特に、ソフト・コップ型パックの不利な点は、これらが寸法安定性に欠ける点である。とりわけ、何本かの煙草が引き抜かれた後は、パック内容物による寸法安定効果にもはや余裕がなくなるので、ソフト・コップ型パックの外観が悪化する。
【０００４】
【発明が解決しようとする課題】
この発明の目的は、紙巻き煙草用のソフトパック、特にソフト・コップ型パックを、その外観と機能を維持しつつ、寸法安定性が増大するように設計することである。
【０００５】
【課題を解決するための手段】
この目的を達成するために、この発明のソフトパックまたはコップ型容器は、ブランクが、ソフトパックまたはコップ型容器の少なくとも底部壁の区域において多重に、特に二重に作られる点に特徴を有する。
【０００６】
【作用】
したがって、この発明のソフトパックによれば、ブランクを局部的に二重または多重に設計する結果として、包装材それ自身が、寸法安定性を増大する補強部を備える。特に有利な１態様においては、ソフトパックまたはコップ型容器に適した寸法をもつブランクは、折り曲げを行った結果として局部が二重または多重をなしている。ブランクはこうして、ストリップ状の補強部を形成し、ソフトパックまたはコップ型容器の製造過程において、これがパックの局部的な補強部となる。補強部は、また隣り合うパック壁部において底部壁を越えて延在することができる。
【０００７】
この発明の別の提案によれば、包装材の製造過程において、その手順は、ブランク用の連続材料ウエブが、連続する補強ストリップを形成し、前記ストリップは、材料ウエブを重ね合わせるか、Ｚ字状に折り曲げた結果として補強部となる。ブランクは、パック完成時に補強部となる部分とともに材料ウエブから切り離される。
【０００８】
発明のこれ以上の細部を添付図面４、５、８〜１４に示す実施例および図１、２、３、６、７に示す参考例によって以下に説明する。
【０００９】
【実施例および参考例】
図示する紙巻き煙草用ソフトパックの複数の最適実施例は、基本構造を異にする２つのタイプのものに関する。図１、２、３，６、７の参考例および図４、５、８、９の実施例は、複数の、または２つのブランクからなる典型的なソフト・コップ型パックである。図１１−図１４は、包装材の１ブランクのみからなるソフトパックのの細部を示す。
【００１０】
典型的なソフト・コップ型パックは、外部のコップ状容器10と、パックの内容物としての直方体の紙巻き煙草のブロック12を形成するために、内部のブランク11に包み込まれた紙巻き煙草のグループ31とからなっている。紙巻き煙草のブロック12は、上部すなわち開放側において、容器10から僅かに突出している。帯封13が従来からこの区域に付設されており、紙巻き煙草のブロック12を横断して隣接する前部壁15と後部壁16の区域に亘り延在する。
【００１１】
内部ブランク11は、紙巻き煙草のグループ31を完全に覆っている。内部ブランク11は、紙巻き煙草のブロック12の端部壁14が、複数の折り曲げタブ、特定して言えば、封筒式の折り曲げから形成されるように設計される。内部ブランク11は、紙製または錫箔製である。
【００１２】
コップ状容器10は、一枚のコップ・ブランクからなる。これは、大きい面積の前部壁15、対応する後部壁16、幅の狭い垂直側壁18,19 および折り曲げによって形成される底部壁20を規定する。
【００１３】
このタイプのソフト・コップ型パックの寸法安定性を増大するために、材料補強部が底部壁20の区域に備えられる。図示の最適実施例においては、これらは、直接的にコップ・ブランク21,22 の一部からなる。底部壁20と、場合によってはその隣接諸区域を形成するコップ・ブランク21,22 は、二重または多重に作られ、それによって、材料の剛性を増強する余地を生じる。
【００１４】
パックの図２、３の参考例では、材料補強部は底部壁20の区域だけに備わっている。底部壁20を形成するすべての折り曲げタブ、すなわち、部分的に重なる台形の長手方向タブ23,24と、幅の狭い両側壁18,19と隣り合う角タブ25,26とが、特に、（厚い）紙製のコップ・ブランク21の２つの多重部または２つの壁部を構成する。底部壁20は、これによって、単層設計のものよりは明かに高度の剛性を有することとなる。
【００１５】
図４、５の最適実施例においては、底部壁20の寸法安定性が、前部壁15、後部壁16および両側壁18,19 の（下方）区域におけるコップ・ブランク22の多重設計によっても、さらに増強される余地がある。この場合はしたがって、容器10の補強部は三次元構造となる。
【００１６】
コップ型容器10は、連続材料ウエブ27,28 から切断される長方形のコップ・ブランク21,22 から製造される。材料ウエブ27,28 の長手方向に延在する縁部ストリップ29,30 が、切断されるコップ・ブランク21,22 の底部壁20の製造に有効である。材料の補強部は材料ウエブ27,28 において既に製造済みである。この目的のために、材料ウエブは、最初の幅がコップ・ブランク21,22 の幅よりも大きい。材料ウエブ27,28 の長手方向に延在する縁部ストリップ29,30 は、材料ウエブの内側面と接触するようになるまで折り曲げられる。材料ウエブ27,28 から切断されるコップ・ブランク21,22 は、こうして設計され、折り曲げ工程に直接供給される。
【００１７】
材料補強部すなわち縁部ストリップ29,30 は、好ましくは全面に付与される接着剤によって、コップ・ブランク21,22 の残存部と接続することができる。このことがまた、剛性をさらに高める結果となる。コップ型容器10を製造するための多重の箔の場合は、縁部ストリップ29,30 もプラスチック層の熱シールによって固着することが可能である。
【００１８】
図６、７の参考例においては、縁部ストリップ29が、底部壁20を製造するための材料ウエブ27の幅に相当する。図８、９の最適実施例は、図４、５に示すパック用のコップ・ブランク21、22の製造に関する。ここでは、縁部ストリップ30が、大きな幅を持ち、隣接する垂直なパック両壁部に延在し、これらの区域で補強ストリップ32を形成する。
【００１９】
底部壁の区域におけるパックの寸法安定性を一層増強するために、追加的にまたはその代わりに、内部ブランク11もまた底部壁20の区域において二重または多重に構成することができる。
【００２０】
図１１ー１４の最適実施例は、紙、箔または他の薄い包装材製の単層のブランクからなる変形されたソフト・コップ型パックの細部を示す。このパックの底部壁20は、図４、５の最適実施例の底部壁と同様に設計される。ブランク17の縁部ストリップ30は、補強ストリップが、前部壁15, 後部壁16, および両側壁18,19 の内側に縁部ストリップ30の縁部区域として延在するように、底部壁20の区域内でその大きさが決められる。
【００２１】
この実施例では、ブランク17の上端部の区域も同様に四方に延在する補強部33を具備する。この補強部は、この場合、ブランク17の多重構造、すなわちＺ字状に折れ曲がったＺ型折り曲げ部34によって製造される。Ｚ型折り曲げ部34の両折り曲げ脚部は、ブランク17の内側に位置する。四方を巡って延在する上外側折り曲げ縁部35がこうして備えられる。端部壁14の区域に位置する折り曲げタブ37,38 は、Ｚ型折り曲げ部34の内側折り曲げ脚部36に隣接する。折り曲げ脚部36は、折り曲げ縁部35を僅かに越えて上方に突出する。この構造によって、折り曲げ脚部36の外側に露出した可視ストリップ39を生じる。この可視ストリップ39とその隣接折り曲げタブ37,38 は、さらにまた、色彩または他の表面設計の相違によって便宜的にブランク17と対照される。特に、可視ストリップ39と折り曲げタブ37,38 は、銀色のデザインとすることができ、これにより、紙巻き煙草のグループ31が、図４、５、８〜１４の最適実施例におけるように、別体のブランクに包み込まれているような印象を与える。
【００２２】
図１０のパックを製造するための材料ウエブ40は、２つのストリップ状材料補強部、すなわち、材料ウエブ40の長手方向に延在する２つの折り曲げ部を有する。これらは、縁部ストリップ30とパック完成時のＺ型折り曲げ部34とである。
【００２３】
容器10の上端縁部に補強部、特にＺ型折り曲げ部34を具備するパックのデザインには、図４、５、８、９に示す設計のもの、すなわち、内部ブランク11からなる追加的な内部包装体のあるものを採用することもできる。
【００２４】
【発明の効果】
この発明のソフトパックにより、ブランクを局部的に多重に、特に二重に設計する結果として、包装材それ自身が、寸法安定性を増大する補強部を備えるので、何本かの煙草が引き抜かれた後は、パック内容物による寸法安定効果にもはや余裕がなくなるので、寸法安定性が失われ、パックの外観が悪化するという欠点が矯正される。
【図面の簡単な説明】
【図１】  紙巻き煙草用のソフト・コップ型パックの参考例の斜視図。
【図２】  図１のソフト・コップ型パックの参考例の垂直断面図。
【図３】  ソフト・コップ型パックの参考例の底部区域の拡大垂直断面。
【図４】  ソフト・コップ型パックの実施例の図２の参考例に相当する図。
【図５】  図４の実施例の図３の参考例相当図。
【図６】  図２、３の参考例用の連続材料ウエブ。
【図７】  図６の材料ウエブの参考例の断面図。
【図８】  図４、５の最適実施例用の連続材料ウエブ。
【図９】  図８の材料ウエブの断面図。
【図１０】  ソフトパックの他の実施例の断面図。
【図１１】  図１０のパックの上端部区域の拡大図。
【図１２】  底部区域の図１１と同様な図。
【図１３】  図１０のパック用の連続材料ウエブの一部。
【図１４】  図１３の材料ウエブの断面図。
【符号の説明】
１０…コップ型容器，１１…内部ブランク，１３…帯封，１４…端部壁，１５…前部壁，１６…後部壁，１７，２１．２２…ブランク，１８，１９…側壁，２０…底部壁，２３，２４…台形タブ，２５，２６…角タブ，２７…連続材料ブランク，２９，３０…縁部ストリップ，３４…Ｚ型折り曲げ部。
【図１】
0004024878.tif 000002
【図２】
0004024878.tif 000003
【図３】
0004024878.tif 000004
【図４】
0004024878.tif 000005
【図５】
0004024878.tif 000006
【図６】
0004024878.tif 000007
【図７】
0004024878.tif 000008
【図８】
0004024878.tif 000009
【図９】
0004024878.tif 000010
【図１０】
0004024878.tif 000011
【図１１】
0004024878.tif 000012
【図１２】
0004024878.tif 000013
【図１３】
0004024878.tif 000014
【図１４】
0004024878.tif 000015